【手続補正書】
【提出日】平成27年3月6日(2015.3.6)
【手続補正１】
【補正対象書類名】特許請求の範囲
【補正対象項目名】全文
【補正方法】変更
【補正の内容】
【特許請求の範囲】
【請求項１】
ａ）一液型接着剤の総量に基づき少なくとも３０重量％の、１つ以上の２−シアノアクリレートエステル；
ｂ）１つ以上のビス−シラン；および
ｃ）任意に１つ以上のモノシラン
を含む一液型接着剤。
【請求項２】
１つ以上の２−シアノアクリレートエステルが、アリル２−シアノアクリレート、２−メトキシエチル２−シアノアクリレート、２−エトキシエチル２−シアノアクリレート、メチル２−シアノアクリレート、エチル２−シアノアクリレート、ｎ−プロピル２−シアノアクリレート、イソ−プロピル２−シアノアクリレート、ｎ−ブチル２−シアノアクリレート、テトラヒドロフリル２−シアノアクリレート、ｎ−ペンチル２−シアノアクリレート、ネオペンチル２−シアノアクリレート、シクロヘキシル２−シアノアクリレート、１−オクチル２−シアノアクリレート、および／または２−オクチル２−シアノアクリレートおよび／またはそれらの組み合わせから選択される、請求項１に記載の一液型接着剤。
【請求項３】
１つ以上の２−シアノアクリレートエステルが、一液型接着剤の総量に基づき５５〜９９．５重量％の量で存在する、請求項１または２に記載の一液型接着剤。
【請求項４】
１つ以上のビス−シランが式（Ｉ）：
（Ｒ４Ｏ）（３−ｑ）（Ｒ３）ｑＳｉ-Ｂ-Ｓｉ（Ｒ１）ｐ（ＯＲ２）（３−ｐ）  式（Ｉ）
〔式中、ｐは０〜３であり、ｑは０〜３であり、Ｂは１〜４０個の炭素原子を含む二価の連結基を表し、各Ｒ１および各Ｒ３は、独立して、水素、ハロゲン、アルキル基、シクロアルキル基、アルケニル基、アリール基およびアシル基から選択され、各Ｒ２および各Ｒ４は、独立して、アルキル基、シクロアルキル基、アルケニル基、アリール基およびアシル基から選択される〕
により示される、請求項１〜３のいずれかに記載の一液型接着剤。
【請求項５】
式（Ｉ）中の二価の連結基Ｂが１〜１０個の炭素原子を含む二価のアルキレン基である、請求項４に記載の一液型接着剤。
【請求項６】
式（Ｉ）中のｐおよびｑが、それぞれ、０であるおよび／または式（Ｉ）中の各Ｒ２および各Ｒ４がメチル基、エチル基、ｎ−プロピル基またはイソ−プロピル基である、請求項４または５に記載の一液型接着剤。
【請求項７】
１つ以上のビス−シランが、１，１−ビス（トリメトキシシリル）メタン、１，１−ビス（トリエトキシシリル）メタン、１，１−ビス（トリプロポキシシリル）メタン、１，２−ビス（トリメトキシシリル）エタン、１，２−ビス（トリエトキシシリル）エタン、１，２−ビス（トリプロポキシシリル）エタン、１，３−ビス（トリメトキシシリル）プロパン、１，３−ビス（トリエトキシシリル）プロパン、１，３−ビス（トリプロポキシシリル）プロパン、１，４−ビス（トリメトキシシリル）ブタン、１，４−ビス（トリエトキシシリル）ブタン、１，４−ビス（トリプロポキシシリル）ブタン、１，５−ビス（トリメトキシシリル）ペンタン、１，５−ビス（トリエトキシシリル）ペンタン、１，５−ビス（トリプロポキシシリル）ペンタン、１，６−ビス（トリメトキシシリル）ヘキサン、１，６−ビス（トリエトキシシリル）ヘキサン、１，６−ビス（トリプロポキシシリル）ヘキサンおよび／または任意のそれらの組み合わせから選択される、請求項１〜６のいずれかに記載の一液型接着剤。
【請求項８】
１つ以上のモノシランが式（ＩＩ）：
Ａ−Ｓｉ（Ｒ５）ｎ（ＯＲ６）（３−ｎ）  式（ＩＩ）
〔式中、ｎは０〜３であり、Ａは１〜４０個の炭素原子を有する基であり、各Ｒ５は、独立して、水素、ハロゲン、アルキル基、シクロアルキル基、アルケニル基、アリール基およびアシル基から選択され、各Ｒ６は、独立して、アルキル基、シクロアルキル基、アルケニル基、アリール基およびアシル基から選択される〕
により示される、請求項１〜７のいずれかに記載の一液型接着剤。
【請求項９】
式（ＩＩ）中のｎが０であるおよび／または式（ＩＩ）中の各Ｒ６がメチル基、エチル基、ｎ−プロピル基またはイソ−プロピル基である、請求項８に記載の一液型接着剤。
【請求項１０】
式（ＩＩ）中の基Ａが、少なくとも１つの不飽和炭素−炭素結合および／または少なくとも１つの酸素含有官能基を含む、請求項８または９に記載の一液型接着剤。
【請求項１１】
式（ＩＩ）中の基Ａが、アルキル基、シクロアルキル基、アラルキル基、アルケニル基、アラルケニル基、アリール基、
【化１】
2014515775.tif 000001
〔式中、ｍは１〜１０である〕、
【化２】
2014515775.tif 000002
〔式中、ｖは０〜１０であり、Ｒ７は水素またはアルキル基である〕、
【化３】
2014515775.tif 000003
〔式中、ｗは０〜１０であり、Ｒ８はアルキル基またはアリール基である〕、および
【化４】
2014515775.tif 000004
〔式中、ｚは１〜１０である〕
から選択される、請求項８〜１０のいずれかに記載の一液型接着剤。
【請求項１２】
１つ以上のモノシランが、ビニルトリメトキシシラン、ビニルトリエトキシシラン、３−グリシドキシプロピルトリメトキシシラン、３−グリシドキシプロピルトリエトキシシラン、エチルトリメトキシシラン、エチルトリエトキシシラン、プロピルトリメトキシシラン、プロピルトリエトキシシラン、ブチルトリメトキシシラン、ブチルトリエトキシシラン、ジメチルジアセトキシシラン、エチルトリアセトキシシラン、プロピルトリアセトキシシラン、ビニルメチルジアセトキシシラン、１−（メタ）アクリルオキシメチルトリメトキシシラン、２−（メタ）アクリルオキシエチルトリメトキシシラン、３−（メタ）アクリルオキシプロピルトリメトキシシラン、１−（メタ）アクリルオキシメチルトリエトキシシラン、２−（メタ）アクリルオキシエチルトリエトキシシラン、３−（メタ）アクリルオキシプロピルトリエトキシシラン、（メタ）アクリルオキシシクロヘキシルトリメトキシシラン、（メタ）アクリルオキシシクロヘキシルトリエトキシシラン、（３−トリメトキシシリル）プロピル無水コハク酸、（３−トリエトキシシリル）プロピル無水コハク酸、ベンゾイルオキシエチルトリメトキシシラン、ベンゾイルオキシプロピルトリメトキシシラン、ベンゾイルオキシエチルトリエトキシシラン、ベンゾイルオキシプロピルトリエトキシシラン、スチリルエチルトリメトキシシラン、スチリルエチルトリエトキシシラン、スチリルプロピルトリメトキシシラン、スチリルプロピルトリエトキシシランおよび／または任意のそれらの組み合わせから選択される、請求項１〜１１のいずれかに記載の一液型接着剤。
【請求項１３】
１つ以上のビス−シランが、一液型接着剤の総量に基づき０．０１〜０．５重量％の量で存在する、および／または、１つ以上のモノシランが、一液型接着剤の総量に基づき０．０５〜２重量％の量で存在する、請求項１〜１２のいずれかに記載の一液型接着剤。
【請求項１４】
請求項１〜１３のいずれかに記載の接着剤の硬化生成物。
【請求項１５】
請求項１〜１３のいずれかに記載の一液型接着剤を少なくとも１つの基材に塗布する工程および該基材を接合する工程を含む、基材の接着方法。
【請求項１６】
少なくとも１つの基材が、ガラス基材、セラミック基材、磁器製基材、木製基材、プラスチック基材および／または金属基材から選択される、請求項１５に記載の方法。
【請求項１７】
改善された耐水性を有する瞬間接着剤としての、請求項１〜１３のいずれかに記載の一液型接着剤の使用。
【請求項１８】
１つ以上の２−シアノアクリレートエステルを含む接着剤の耐水性を改善するための、任意に、請求項１〜１７のいずれかで規定する１つ以上のモノシランとの組み合わせにおける請求項１〜１７のいずれかで規定するビス−シランの使用。
【手続補正２】
【補正対象書類名】明細書
【補正対象項目名】０００９
【補正方法】変更
【補正の内容】
【０００９】
本発明は、ａ）一液型接着剤の総量に基づき少なくとも３０重量％の、１つ以上の２−シアノアクリレートエステル；
ｂ）１つ以上のビス−シラン；および
ｃ）任意に１つ以上のモノシラン
を含む一液型接着剤を提供することにより、前記要求を満たす。